【手続補正書】
【提出日】平成27年8月21日(2015.8.21)
【手続補正１】
【補正対象書類名】特許請求の範囲
【補正対象項目名】全文
【補正方法】変更
【補正の内容】
【特許請求の範囲】
【請求項１】
回転可能な無端状のベルト部材、又は、回転可能な無端状のベルト部材に担持搬送される記録材にトナー像を形成する画像形成手段と、
照射手段により前記ベルト部材に向けて光を照射させ、前記ベルト部材の表面からの反射光、又は、前記画像形成手段によって前記ベルト部材に形成された濃度検知用のパッチからの反射光を検出する検出手段と、
を有し、
前記検出手段により検出された前記濃度検知用のパッチからの反射光に基づき前記画像形成手段により形成されるトナー像の濃度補正を行うことが可能な画像形成装置において、
前記濃度検知用のパッチを形成するためのパッチ領域と、前記パッチ領域とは異なる領域に前記パッチ領域の予備として用いられる予備パッチ領域とを設定する制御手段を備え、
前記制御手段は、前記画像形成手段による前記濃度検知用のパッチの形成前に、
前記検出手段により検出された前記パッチ領域からの反射光に基づき、前記パッチ領域のうち、前記濃度検知用のパッチを形成するのに適していない領域があるか否かを判定し、前記濃度検知用のパッチを形成するのに適していないと判定された領域に形成する予定であった前記濃度検知用のパッチを、前記予備パッチ領域に形成するように前記画像形成手段を制御することを特徴とする画像形成装置。
【請求項２】
前記画像形成手段は、前記ベルト部材の回転方向に沿って複数並設され、
複数の前記画像形成手段に対応して、前記パッチ領域が前記ベルト部材に複数設定されるものであって、
前記制御手段は、
複数の前記パッチ領域より前記回転方向後方に前記予備パッチ領域を設定し、
前記画像形成手段を制御して、
前記パッチ領域に前記濃度検知用のパッチを形成した後、
前記濃度検知用のパッチを形成するのに適していないと判定された領域に形成する予定であった前記濃度検知用のパッチを、前記予備パッチ領域に形成することを特徴とする請求項１に記載の画像形成装置。
【請求項３】
前記画像形成手段は、前記ベルト部材の回転方向に沿って複数並設され、
複数の前記画像形成手段に対応して、前記パッチ領域が前記ベルト部材に複数設定されるものであって、
前記制御手段は、
各パッチ領域の前記回転方向後方に各パッチ領域に連続するように前記予備パッチ領域を設定し、
前記画像形成手段を制御して、
前記パッチ領域に前記濃度検知用のパッチを形成した後、
前記濃度検知用のパッチを形成するのに適していないと判定された領域に形成する予定であった前記濃度検知用のパッチを、前記予備パッチ領域に形成することを特徴とする請求項１に記載の画像形成装置。
【請求項４】
前記ベルト部材を張架して前記ベルト部材を回転可能とする回転体を有し、
前記検出手段は、前記回転体に接触した状態にある前記ベルト部材の表面に光が照射された際の、前記ベルト部材の表面からの反射光、又は、前記画像形成手段によって前記ベルト部材に形成された前記濃度検知用のパッチからの反射光を検出するものであって、
前記濃度検知用のパッチを形成するのに適していないと判定された領域に対応する前記回転体の位相と、
該領域に形成する予定であった前記濃度検知用のパッチを予備パッチ領域に形成する際の該予備パッチ領域に対応する前記回転体の位相と、
が同じであることを特徴とする請求項２に記載の画像形成装置。
【請求項５】
前記画像形成手段は、前記ベルト部材の回転方向に沿って複数並設され、
複数の前記画像形成手段に対応して、前記パッチ領域及び前記予備パッチ領域がそれぞれ前記ベルト部材に複数設定されるものであって、
前記制御手段は、
前記パッチ領域及び前記予備パッチ領域を設定する際に、
前記濃度検知用のパッチが前記予備パッチ領域に形成される場合に、複数の前記予備パッチ領域のうち前記回転方向前方に位置する未使用の予備パッチ領域から順に形成されるように、複数の前記パッチ領域より前記回転方向後方に複数の前記予備パッチ領域が設定される第１モードと、
各パッチ領域の前記回転方向後方に各パッチ領域に連続するように前記予備パッチ領域が設定される第２モードと、
のうち、前記濃度検知用のパッチが形成される領域の前記回転方向の長さが短くなる方のモードを選択することを特徴とする請求項１に記載の画像形成装置。
【請求項６】
前記検出手段により検出された前記パッチ領域からの反射光に基づき、前記パッチ領域のうち、前記濃度検知用のパッチを形成するのに適していない領域があると判定された回数を記憶する記憶手段を備え、
前記制御手段は、
前記パッチ領域及び前記予備パッチ領域を設定する際に、
前記記憶手段により記憶された回数に基づき、前記第１モードと前記第２モードとのうち、前記濃度検知用のパッチが形成される領域の前記回転方向の長さが短くなる方のモードを選択することを特徴とする請求項５に記載の画像形成装置。
【請求項７】
前記濃度検知用のパッチを形成するのに適していないと判定された領域には、前記濃度検知用のパッチが形成されないことを特徴とする請求項１乃至６のいずれか１項に記載の画像形成装置。
【請求項８】
前記濃度検知用のパッチは、前記ベルト部材が１周する間に、前記パッチ領域と前記予
備パッチ領域とに形成されることを特徴とする請求項１乃至７のいずれか１項に記載の画像形成装置。
【請求項９】
像担持体にトナー像を形成する画像形成手段と、
照射手段により前記像担持体に向けて光を照射させ、前記像担持体の表面からの反射光、又は、前記画像形成手段によって前記像担持体に形成された濃度検知用のパッチからの反射光を検出する検出手段と、
を有し、
前記検出手段により検出された前記濃度検知用のパッチからの反射光に基づき、前記画像形成手段により形成されるトナー像の濃度補正を行うことが可能な画像形成装置において、
前記濃度検知用のパッチを形成するための第１の領域と、前記第１の領域とは異なる第２の領域とを設定する制御手段を備え、
前記制御手段は、前記検出手段により検出された前記第１の領域からの反射光に基づき、前記第１の領域のうち、前記濃度検知用のパッチを形成するのに適していない領域があるか否かを判定し、
前記濃度検知用のパッチを形成するのに適していないと判定された領域に対応する濃度検知用のパッチを、前記第２の領域に形成するように前記画像形成手段を制御することを特徴とする画像形成装置。
【手続補正２】
【補正対象書類名】明細書
【補正対象項目名】０００５
【補正方法】変更
【補正の内容】
【０００５】
上記目的を達成するために本発明にあっては、
回転可能な無端状のベルト部材、又は、回転可能な無端状のベルト部材に担持搬送される記録材にトナー像を形成する画像形成手段と、
照射手段により前記ベルト部材に向けて光を照射させ、前記ベルト部材の表面からの反射光、又は、前記画像形成手段によって前記ベルト部材に形成された濃度検知用のパッチからの反射光を検出する検出手段と、
を有し、
前記検出手段により検出された前記濃度検知用のパッチからの反射光に基づき前記画像形成手段により形成されるトナー像の濃度補正を行うことが可能な画像形成装置において、
前記濃度検知用のパッチを形成するためのパッチ領域と、前記パッチ領域とは異なる領域に前記パッチ領域の予備として用いられる予備パッチ領域とを設定する制御手段を備え、
前記制御手段は、前記画像形成手段による前記濃度検知用のパッチの形成前に、
前記検出手段により検出された前記パッチ領域からの反射光に基づき、前記パッチ領域のうち、前記濃度検知用のパッチを形成するのに適していない領域があるか否かを判定し、前記濃度検知用のパッチを形成するのに適していないと判定された領域に形成する予定であった前記濃度検知用のパッチを、前記予備パッチ領域に形成するように前記画像形成手段を制御することを特徴とする。
また、上記目的を達成するために本発明にあっては、
像担持体にトナー像を形成する画像形成手段と、
照射手段により前記像担持体に向けて光を照射させ、前記像担持体の表面からの反射光、又は、前記画像形成手段によって前記像担持体に形成された濃度検知用のパッチからの反射光を検出する検出手段と、
を有し、
前記検出手段により検出された前記濃度検知用のパッチからの反射光に基づき、前記画像形成手段により形成されるトナー像の濃度補正を行うことが可能な画像形成装置において、
前記濃度検知用のパッチを形成するための第１の領域と、前記第１の領域とは異なる第２の領域とを設定する制御手段を備え、
前記制御手段は、前記検出手段により検出された前記第１の領域からの反射光に基づき、前記第１の領域のうち、前記濃度検知用のパッチを形成するのに適していない領域があるか否かを判定し、
前記濃度検知用のパッチを形成するのに適していないと判定された領域に対応する濃度検知用のパッチを、前記第２の領域に形成するように前記画像形成手段を制御することを特徴とする。